(57)【要約】【課題】コンパクトで簡素な構成により、効果的に洗濯機を設置し保持することができるとともに、種々の形態の脚位置にも対応できる洗濯機用置き台を提供する。【解決手段】両端部に洗濯機の脚22を載置する載置面13を有し下部を床面に当接する載置部材11を設けた長手方向に伸縮可能な２組の筋交い部材２、３と、これらの筋交い部材を交差させた交点に設けられ前記各筋交い部材をそれぞれ回動可能に保持するシャフト６と、前記各筋交い部材を任意の交差角度で保持し所定位置で前記シャフトに固定する固定部材とからなり、洗濯機の脚位置に対応して前記載置部材を配置することで各筋交い部材の交差角度を決定し、且つ、各筋交い部材のそれぞれの交点から載置部材までの距離を伸縮させるとともに固定部材によるシャフトの締め付けによって各筋交い部材を固定させたことを特徴とする。【選択図】  図１
2010088508.tif 000002
【特許請求の範囲】
【請求項１】
両端部に洗濯機の脚を載置する載置面を有し下部を床面に当接する載置部材を設けた長手方向に伸縮可能な２組の筋交い部材と、これらの筋交い部材を交差させた交点に設けられ前記各筋交い部材をそれぞれ回動可能に保持するシャフトと、前記各筋交い部材を任意の交差角度で保持し所定位置で前記シャフトに固定する固定部材とからなり、
洗濯機の脚位置に対応して前記載置部材を配置することで各筋交い部材の交差角度を決定し、且つ、各筋交い部材のそれぞれの交点から載置部材までの距離を伸縮させるとともに固定部材によるシャフトの締め付けによって各筋交い部材を固定させたことを特徴とする洗濯機用置き台。
【請求項２】
各載置面と床面との間の高さ寸法を調節する調節脚を載置部材に設けたことを特徴とする請求項１記載の洗濯機用置き台。
【発明の詳細な説明】
【技術分野】
【０００１】
本発明は、設置スペース内への洗濯機の設置を容易におこなう洗濯機用置き台の構成に関する。
【背景技術】
【０００２】
従来、洗濯機を設置する際に、防水パンに設けた排水口に対する排水ホースの接続を容易にするため、所定の高さを有して洗濯機の脚部を載置し、洗濯機本体を支えるとともに種々の形態の洗濯機の設置を可能にするため洗濯機の脚ピッチを調節できるようにした置き台が提案されている（例えば、特許文献１参照）。
【特許文献１】実開平２−３２７９２号公報
【発明の開示】
【発明が解決しようとする課題】
【０００３】
しかしながら、近年の大容量化にともなう洗濯機の大形化や本体下部機構の複雑化により、スペースのみならず設置面の状態にも制約があり、従来構成では置き台の構造が複雑でコスト高になるばかりでなく、洗濯機構成や設置床面形状に対応できず設置できない場合が発生していた。
【０００４】
本発明は上記の点を考慮してなされたものであり、コンパクトで簡素な構成により、効果的に洗濯機を設置し保持することができるとともに、種々の形態の脚位置にも対応できる洗濯機用置き台を提供することを目的とする。
【課題を解決するための手段】
【０００５】
上記課題を解決するために本発明の洗濯機用置き台は、両端部に洗濯機の脚を載置する載置面を有し下部を床面に当接する載置部材を設けた長手方向に伸縮可能な２組の筋交い部材と、これらの筋交い部材を交差させた交点に設けられ前記各筋交い部材をそれぞれ回動可能に保持するシャフトと、前記各筋交い部材を任意の交差角度で保持し所定位置で前記シャフトに固定する固定部材とからなり、洗濯機の脚位置に対応して前記載置部材を配置することで各筋交い部材の交差角度を決定し、且つ、各筋交い部材のそれぞれの交点から載置部材までの距離を伸縮させるとともに固定部材によるシャフトの締め付けによって各筋交い部材を固定させたことを特徴とするものである。
【発明の効果】
【０００６】
本発明の洗濯機用置き台によれば、コンパクトで簡素な構造であることから安価で取り扱いが容易となり、さらに、種々の洗濯機の脚位置に対応させることができるため、機種毎に多種類の置き台を製造することなく汎用的に使用可能であり、製造メリットを大きくすることができる。
【発明を実施するための最良の形態】
【０００７】
以下図面に基づき、本発明の１実施形態を説明する。図１は、洗濯機用の置き台（１）の全体斜視図、図２はその要部の縦断面図を示しており、この置き台（１）は、鋼板などの剛体を断面ロ字状、あるいは断面ワ字状に折曲することでアングル体として中空部を形成し、その長手方向の板面の中央部に透孔（４）を穿設した２組の筋交い部材としての筋交い板（２）（３）と、これらの筋交い板（２）（３）のそれぞれの両端部に、筋交い部材の一部をなして前記筋交い板と同様のアングル状の剛体からなり、前記筋交い板（２）（３）の中空部内を所定長さに亙り重なり合い部分を保持したまま摺動して、両端部から外方への突出長を変化できるように連結した延長アーム（５）とを有している。
【０００８】
図２に示すごとく、前記筋交い板（２）（３）は、上下に重ね合わせて長手方向の中央部で交差させ、その交点に位置する前記透孔（４）にシャフト（６）を貫通させることによって前記２組の筋交い板（２）（３）を回動可能にしてほぼ十字状に保持している。
【０００９】
前記シャフト（６）の上部はヘッダー加工により抜け止め鍔部（６ａ）を形成するとともに下部にはネジ部（６ｂ）を形成しており、下方から固定部材であるナット（７）で締め付けることによって、上下に回動可能に重なり合った前記筋交い板（２）（３）の交点を所定の交差角度に保持し、固定している。
【００１０】
この場合、前記シャフト（６）の上側の筋交い板（２）との係合断面を方形にして同様に方形とした透孔と嵌合させて、シャフト（６）に対する上側の筋交い板（２）の回動を阻止し、下側の筋交い板（３）の側壁にはネジ穴（３ａ）を設け、このネジ穴（３ａ）に廻り止めネジ（８）をねじ込んでその先端を円柱形状に形成したシャフト（６）面に係止させるようにすれば、筋交い板（２）（３）同士の回動が阻止され、所定の交差角度を保持してより確実に固定することができる。
【００１１】
一方、前記各延長アーム（５）は、前記筋交い板（２）（３）との重なり合い部分に対応する箇所を筋交い板（２）あるいは（３）に形成したネジ孔に設けた固定ネジ（９）の締め付けにより筋交い板（２）（３）の端部からの突出長を決定して固定するものであり、延長アーム（５）の外端部には、下方に垂直に折曲した取付片（10）を一体に形成している。
【００１２】
（11）は載置部材であって、前記筋交い板（２）（３）と同様の剛体で形成されており、拡大斜視図である図３、およびその縦断面図である図４に示すように、前記延長アーム（５）の取付片（10）に係合する固定部（12）とこの固定部（12）の上端から外方に水平に延出して洗濯機本体（21）の脚（22）を載置するように所定の受け面積を有する載置面（13）を形成するとともに、前記固定部（12）の下端部には外方へ折曲させた調節部（14）を形成している。
【００１３】
そして、前記延長アーム（５）の取付片（10）と載置部材（11）の固定部（12）とは、固定部（12）に形成した固定穴を介して前記取付片（10）の板面に穿設した複数の固定ネジ穴（10ａ）にネジ（15）で接合しており、複数箇所の固定によって、がたつくことなく強固に固着されている。
【００１４】
前記載置部材（11）の載置面（13）や固定部（12）にも上方あるいは外方に折曲する補強鍔（13ａ）（12ａ）を形成して補強しており、載置面（13）の補強鍔（13ａ）は、載置される洗濯機本体の脚（22）の移動や落下に対する係止ストッパーとして作用する。
【００１５】
また、下端部における調節部（14）の水平面上にはネジ穴（14ａ）を穿設しており、このネジ穴（14ａ）には、下方から防振ゴム（17）にボルト（18）を一体に埋め込み成形した調節脚（16）をネジ固定するようにしている。
【００１６】
したがって、この調節脚（16）を回転させることにより、調節部（14）の位置を上下動させて載置部材（11）における載置面（13）の床面からの高さ位置を調節することができるものであり、洗濯機本体（21）の高さとともに、設置床面に多少の凹凸が存在しても安定して置き台（１）を水平に設置できるものであり、ガタツキによる振動音の発生も抑制することができる。
【００１７】
前記調節部（14）の下面には、位置決め後の調節脚（16）が回動しないようロックナット（20）を設け、これを上方へ締め付けて動きをロックさせているが、これらの調節脚（16）の機構は、４隅すべての載置部材（11）に設ける必要はなく、１〜２箇所設置すればよい。
【００１８】
また、延長アーム（５）は、前述のごとく、筋交い板（２）および（３）の中空部内を摺動し所定位置で固定することが可能な構成であることから、外方への突出長を変化でき、延長アーム（５）の長さを含めた筋交い板（２）（３）の両端の前記載置面（13）までの長さを伸縮することができる。
【００１９】
なお、前記筋交い板（２）（３）や延長アーム（５）、あるいは載置部材（11）の材質は前述のように鋼板製に限るものではなく、剛性を有する樹脂成形品であってもよい。
【００２０】
上記構成によって、図５のように、置き台（１）の載置面（13）上に洗濯機本体（21）の４隅に設けた脚（22）を載置した場合は、洗濯機本体（21）の重量は、その直下に調節部（14）を有する載置部材（11）の載置面（13）により直接受けることになり、載置床面に多少の凹凸が存在しても安定した状態で、重量物である洗濯機本体（21）を効果的に保持できるものである。
【００２１】
そして、置き台（１）を構成する部材は、２組の筋交い板（２）（３）と延長アーム（５）、載置部材（11）および調節脚（16）であり、さらに、筋交い板（２）（３）の交点にシャフト（６）を設けた骨格のみの構造であることから、部品数が少なくコンパクトで軽量になり、取り扱いが容易で床面への設置を簡単におこなうことができるとともに、上記の構成によって、設置場所における防水パンの排水口の位置が洗濯機本体（21）の側方や真下であっても、排水口への排水ホースの接続作業を容易におこなうことができ、確実に設置できる効果を有する。
【００２２】
しかも、交差させてほぼ十字状に形成した２組の筋交い板（２）（３）は、前述のように、筋交い板（２）（３）の端部に接続した延長アーム（５）の突出長を伸縮自在にできるばかりでなく、それらの交点に設けたシャフト（６）により回動可能に保持され、ナット（７）や廻り止めネジ（８）の調節によりその交差角度を任意に変えて固定することができるため、４隅における載置部材（11）の位置を幅と奥行きに亙って自由に選択して変更し、適正な設定位置で固定できる。
【００２３】
それゆえ、据え付け平面の状態図である図６に示すように、据え付け面が方形に近い上述実施例の洗濯機本体（21）であるドラム式洗濯乾燥機や縦型の洗濯機の脚（22）位置だけでなく、奥行きに対して幅寸法が大きく長方形状である２槽式洗濯機（21′）の脚（22′）位置に対しても充分に適用でき、洗濯機本体（21）（22′）の幅や奥行きなど脚間寸法に合わせた位置に載置面（13）を設けた置き台（１）を容易に形成することができるものである。
【００２４】
また、上記実施例によれば、置き台（１）は、前記筋交い板（２）（３）を回動により方向を揃えたり、延長アーム（５）を筋交い板（２）（３）の中空部内に押し込んだり、さらに、載置部材（11）を延長アーム（５）から取り外すことができることから、置き台（１）を構成する各部材を棒状にコンパクト化でき、不使用時の収納保管にスペースをとらず、製造工程時の保管や運搬作業を効率的におこなうことができる。
【図面の簡単な説明】
【００２５】
【図１】本発明の１実施形態を示す洗濯機用置き台の斜視図である。
【図２】図１の置き台における筋交い板交差部を示す縦断面図である。
【図３】図１の置き台の載置部材を示す斜視図である。
【図４】図３の縦断面図である。
【図５】図１の置き台上に洗濯機を載置した状態を示す概略斜視図である。
【図６】図１の置き台を形態の異なる洗濯機に適用した状態を示す概略図である。
【符号の説明】
【００２６】
１  置き台                ２、３  筋交い板          ３ａ  ネジ穴
４  透孔                  ５  延長アーム            ６  シャフト
６ａ  鍔部                ６ｂ  ネジ部              ７  ナット
８  廻り止めネジ          ９  固定ネジ              10  取付片
10ａ  固定ネジ穴          11  載置部材              12  固定部
13  載置面                12ａ、13ａ  補強鍔        14  調節部
14ａ  ネジ穴              15  ネジ                  16  調節脚
20  ロックナット          21、21′  洗濯機本体      22、22′  脚
【図１】
2010088508.tif 000003
【図２】
2010088508.tif 000004
【図３】
2010088508.tif 000005
【図４】
2010088508.tif 000006
【図５】
2010088508.tif 000007
【図６】
2010088508.tif 000008